(57)【要約】      （修正有）【課題】その構造自体の重心が従来のものより本質的に低いゴルフクラブヘッドを提供する。【解決手段】クラウン部１１１の一隅に、シャフト４１を挿入されて固定するネック部１２が、フェース部１１２と隣り合う上、その軸線がソール部１１３に向かうように形成してある中空状のものにおいて、前記ネック部以外の本体部１１は、金属材製のものであり、また、前記ネック部は、他の軽量材製であって、前記クラウン部から前記本体部の内部空間を渡って前記ソール部までに延在しているものである、ゴルフクラブヘッドを提供する。【選択図】図１
0003131814.tif 000002
【実用新案登録請求の範囲】
【請求項１】
クラウン部の一隅に、シャフトを挿入されて固定するネック部が、フェース部と隣り合う上、その軸線がソール部に向かうように形成してある中空状のゴルフクラブヘッドにおいて、
前記ネック部以外の本体部は、金属材製のものであり、また、前記ネック部は、他の軽量材製であって、前記クラウン部から前記本体部の内部空間を渡って前記ソール部までに延在しているものであることを特徴とするゴルフクラブヘッド。
【請求項２】
前記本体部は、前記クラウン部に開口があり、該開口の周縁から突縁が前記ソール部へと突出して管状となっており、
また、前記ネック部は、反対の二端部を有する管状のものであって、その一端部が前記管状の突縁と連結しており、他端部が前記ソール部までに延長して該ソール部に係止されていることを特徴とする請求項１に記載のゴルフクラブヘッド。
【請求項３】
前記ネック部の一端部は、前記突縁の内開口縁部と互いに嵌め合うようになっており、
他端部は、前記ソール部と共に開口となっている上、該ソール部の開口に内嵌して係止されていることを特徴とする請求項２に記載のゴルフクラブヘッド。
【請求項４】
前記ネック部の一端部は、前記突縁を内から外へと貫通してから張出しになって該突縁の外開口縁と突っ張っており、
他端部は、前記ソール部の内面から出ている突起に外嵌して係止されていることを特徴とする請求項２に記載のゴルフクラブヘッド。
【請求項５】
前記ネック部は、繊維強化プラスチック材からなったものであることを特徴とする請求項１乃至４のいずれか一項に記載のゴルフクラブヘッド。
【考案の詳細な説明】
【技術分野】
【０００１】
本考案は、ゴルフクラブヘッドに関し、より詳細には、そのクラウン部の一隅に、シャフトを挿入されて固定するネック部を有するゴルフクラブヘッドに関する。
【背景技術】
【０００２】
ゴルフクラブヘッドの設計または製造をする際、重心のデザインが非常に重要である。
図３に示す従来のものを例として説明すれば、従来のゴルフクラブヘッドは、通常、そのクラウン部３１１の一隅に、シャフト４３を挿入されて固定する管状のネック部３２が、フェース部３１２と隣り合う上、その軸線Ｃ３がソール部３１３に向かうように、一体成型に鋳造されてなる中空状のものである。
【０００３】
このような構造のゴルフクラブヘッドは、図示のように、そのネック部３２は、ネック部以外の本体部３１と同一な金属材で一体的に形成されている上、クラウン部３１１から本体部３１外の上へと所定の角度で所定の長さに至るまで突出しているので、ヘッド全体の重心が高くなる傾向があり、重心の低いものが好ましい設計や製造時の難点となっている。
【考案の開示】
【考案が解決しようとする課題】
【０００４】
したがって、本考案は、その構造、特にそのネック部の構造改良を通してゴルフクラブヘッドの重心を下げようとする。
【０００５】
即ち、本考案は、その構造自体の重心が従来のものより本質的に低いゴルフクラブヘッドを提供することをその目的とする。
【課題を解決するための手段】
【０００６】
上記目的を達成するために、本考案は、クラウン部の一隅に、シャフトを挿入されて固定するネック部が、フェース部と隣り合う上、その軸線がソール部に向かうように形成してある中空状のものにおいて、前記ネック部以外の本体部は、金属材製のものであり、また、前記ネック部は、他の軽量材製であって、前記クラウン部から前記本体部の内部空間を渡って前記ソール部までに延在しているものである、ゴルフクラブヘッドを提供する。
【０００７】
前記ゴルフクラブヘッドの実施形態として、前記本体部は、前記クラウン部に開口があり、該開口の周縁から突縁が前記ソール部へと突出して管状となっており、また、前記ネック部は、反対の二端部を有する管状のものであって、その一端部が前記管状の突縁と連結しており、他端部が前記ソール部までに延長して該ソール部に係止されているものが挙げられる。
【考案の効果】
【０００８】
前記構造を有するゴルフクラブヘッドは、まず、従来のようにそのネック部がクラウン部から本体部外の上へと突出しているのではなく、本体部内の下へと突出しているので、ヘッド全体の重心が低くなる傾向があり、設計や製造に有利である。
【０００９】
そして、前記構造を有するゴルフクラブヘッドは、そのネック部が従来の、本体部と同じ金属材で形成されているのではなく、例えば繊維強化プラスチック材など前記金属材より遥かに軽量の材料で形成されているので、その重心にかかる影響が非常に小さく、設計や製造に有利である。
【考案を実施するための最良の形態】
【００１０】
以下、本考案に関するゴルフクラブヘッドの好適な実施形態を、図１及び図２にそれぞれ示すものを実施例１及び実施例２として説明する。
【００１１】
ゴルフクラブヘッドは、一般的に言えば、大別してクラウン部、ネック部、ソール部、フェース部、及びサイド部に分けられるが、本考案では、ネック部が特徴となっているので、説明の便のために、それを特に取り出してやはりネック部と称し、他の残りの部分を合わせて本体部と称する。なお、以下の説明では、ウッド型のヘッドが例示されている。
【００１２】
まず、図１をみてみると、実施例１のゴルフクラブヘッドは、従来のゴルフクラブヘッドと大体同じく、クラウン部１１１の一隅に、シャフト４１を挿入されて固定するネック部１２が、フェース部１１２と隣り合う上、その軸線Ｃ１がソール部１１３に向かうように形成してある中空状のものであるが、ネック部１２以外の本体部１１は、金属材から一体成型に鋳造されたものであり、また、ネック部１２は、炭素繊維強化樹脂製であって、クラウン部１１１から本体部１１の内部空間を渡ってソール部１１３までに延在するように本体部１１の一体成型時に組み込まれているものである。
【００１３】
そして、図１を詳細にみると、本体部１１は、クラウン部１１１に開口があり、該開口の周縁から突縁１１４がソール部１１３へと突出して管状となっており、また、ネック部１２は、反対の二端部を有する管状のものであって、その一端部（図示における上端部）が管状の突縁１１４と連結しており、他端部（図示における下端部）がソール部１１３までに延長して該ソール部１１３に係止されている。
【００１４】
図面をもっと詳しくみると、ネック部１２の一端部は、その階段状の口縁で突縁１１４の階段状の内開口縁部と互いに嵌め合うようになっており、他端部は、ソール部１１３と共に開口となっている上、該ソール部１１３の開口１１３Ａに内嵌して係止されている。
【００１５】
なお、本実施例におけるネック部１２は、炭素繊維強化樹脂からなったものであるが、他の軽量材、例えばホウ素繊維強化樹脂やチタン網強化樹脂などの、本体部１１の金属材より遥かに軽量である複合材からなっても良い。
【００１６】
この実施例のゴルフクラブヘッドは、従来のようにそのネック部１２がクラウン部１１１から本体部１１外の上へと突出しているのではなく、本体部１１内の下へと突出しているので、ヘッド全体の重心が低くなる傾向があり、また、そのネック部１２が従来の、本体部１１と同じ金属材で形成されているのではなく、前記金属材より遥かに軽量の繊維強化プラスチック材で形成されているので、その重心にかかる影響が非常に小さく、設計や製造にも有利である。
【００１７】
次に、図２をみてみると、実施例２のゴルフクラブヘッドは、実施例１と同じように、クラウン部２１１の一隅に、シャフト４２を挿入されて固定するネック部２２が、フェース部２１２と隣り合う上、その軸線Ｃ２がソール部２１３に向かうように形成してある中空状のものであるが、ネック部２２以外の本体部２１は、金属材から一体成型に鋳造されたものであり、また、ネック部２２は、炭素繊維強化樹脂製であって、クラウン部２１１から本体部２１の内部空間を渡ってソール部２１３までに延在するように本体部２１の一体成型時に組み込まれているものである。
【００１８】
そして、図２を詳細にみると、本体部２１は、クラウン部２１１に開口があり、該開口の周縁から突縁２１４がソール部２１３へと突出して管状となっており、また、ネック部２２は、反対の二端部を有する管状のものであって、その一端部（図示における上端部）が管状の突縁２１４と連結しており、他端部（図示における下端部）がソール部２１３までに延長して該ソール部２１３に係止されている。
【００１９】
図面をもっと詳しくみると、本実施例２におけるネック部１２の一端部は、管状の突縁２１４を内開口から外開口へと貫通してから張出しになって該突縁１１４の外開口縁と突っ張っており、他端部は、ソール部２１３の内面から出ている突起２１３Ａに外嵌して係止されている。
【００２０】
なお、本実施例２におけるネック部２２は、実施例１におけるネック部１２と同じく、炭素繊維強化樹脂からなったものであるが、他の軽量材、例えばホウ素繊維強化樹脂やチタン網強化樹脂などの軽量複合材からなっても良い。そして、この実施例２のゴルフクラブヘッドも、従来のようにそのネック部２２がクラウン部２１１から本体部２１外の上へと突出しているのではなく、本体部２１内の下へと突出しているので、ヘッド全体の重心が低くなる傾向があり、また、そのネック部２２が従来の、本体部２１と同じ金属材で形成されているのではなく、前記金属材より遥かに軽量の繊維強化プラスチック材で形成されているので、その重心にかかる影響が非常に小さく、設計や製造にも有利である。
【００２１】
本考案は、その精神及び必須の特徴事項から逸脱することなく他のやり方で実施することができる。従って、本明細書に記載した好ましい実施例は例示的なものであり、限定的なものではない。
【産業上の利用可能性】
【００２２】
如上のように、本考案の前記構造を有するゴルフクラブヘッドは、まず、ヘッド全体の重心が低くなる傾向があり、そして、そのネック部が繊維強化プラスチック材など前記金属材より遥かに軽量の材料で形成され、その重心にかかる影響が非常に小さく、設計や製造に有利であるので、低コストで市場の需要に応じる製品を提供しやすい。
【図面の簡単な説明】
【００２３】
【図１】本考案のゴルフクラブヘッドの実施例１の要部断面図である。
【図２】本考案のゴルフクラブヘッドの実施例２の要部断面図である。
【図３】従来のゴルフクラブヘッドの要部断面図である。
【符号の説明】
【００２４】
１１、２１  本体部
１１１、２１１  クラウン部
１１２、２１２  フェース部
１１３、２１３  ソール部
１１３Ａ  ソール部の開口
２１３Ａ  ソール部の内面から出ている突起
１１４、２１４  突縁
１２、２２  ネック部
４１、４２  シャフト
Ｃ１、Ｃ２  軸線
【図１】
0003131814.tif 000003
【図２】
0003131814.tif 000004
【図３】
0003131814.tif 000005